(57)【要約】      （修正有）【課題】伝動及び燃焼を行うボイラーのチェーン構造を提供する。【解決手段】ボイラーのチェーン構造は、複数のローラーチェーンと、複数の搬送平板と、複数の伝動歯車を含む。ローラーチェーンは、複数のチェーンを枢設して環状形に構成される。搬送平板は、複数の平板体によって構成され、平板体には積載面を設け、積載面上には間隔をあけて配列する複数の凹部を設け、凹部内には複数のスリットを設け、積載面の上部には複数の凸部を形成し、搬送平板は、その外側とローラーチェーンを枢設してローラーチェーンと同時に回転する。伝動歯車はローラーチェーン内に嵌入され、伝動歯車がローラーチェーンを連動し、それを循環回転させる。【選択図】図３
0003176860.tif 000002
【実用新案登録請求の範囲】
【請求項１】
複数のローラーチェーンと、複数の搬送平板と、複数の伝動歯車を含む伝動及び燃焼を行うボイラーのチェーン構造において、
前記ローラーチェーンは、複数のチェーン部分を枢設して環状形に構成され、
前記搬送平板は、複数の平板体によって構成され、平板体には積載面を設け、積載面上には間隔をあけて配列する複数の凹部を設け、凹部内には複数のスリットを設け、積載面の上部には複数の凸部を形成し、搬送平板の外側にローラーチェーンを枢設してローラーチェーンを同時に回転させ、
前記伝動歯車はローラーチェーン内に嵌入され、伝動歯車がローラーチェーンを連動し、それを循環回転させることを特徴とする伝動及び燃焼を行うボイラーのチェーン構造。
【請求項２】
前記平板体の凸部は棒状突出体であることを特徴とする請求項１に記載の伝動及び燃焼を行うボイラーのチェーン構造。
【請求項３】
前記平板体の凸部は間隔をあけて配列した突出ブロック体であることを特徴とする請求項１に記載の伝動及び燃焼を行うボイラーのチェーン構造。
【請求項４】
前記平板体はさらに二つの枢着部を含み、枢着部は平板体の二端に設置することを特徴とする請求項１に記載の伝動及び燃焼を行うボイラーのチェーン構造。
【請求項５】
前記平板体の枢着部はさらに二つの軸孔を含み、軸孔は枢着部内に設置することを特徴とする請求項４に記載の伝動及び燃焼を行うボイラーのチェーン構造。
【請求項６】
前記ローラーチェーンのチェーンはさらに、二つの枢着部、一つの凹溝、一つの枢着突出部、一つの遮蔽部を含み、チェーン部分の一端は二つの枢着部によって形成される凹溝であり、他の一端には枢着突出部を形成し、枢着突出部の上部縁には遮蔽部を連接し、遮蔽部がチェーン部分間で相互に連結される枢設位置を封鎖することにより、燃料の燃焼屑や金属溶液の進入を防止することを特徴とする請求項１に記載の伝動及び燃焼を行うボイラーのチェーン構造。
【請求項７】
前記の複数のチェーンの枢着部には、傾斜エッジ面をさらに設け、枢着部の上部縁には円孤形首部を設け、傾斜エッジ面は内側から外側方向に枢着部の円孤形首部に設けることを特徴とする請求項６に記載の伝動及び燃焼を行うボイラーのチェーン構造。
【請求項８】
前記チェーン部分の枢着部と枢着突出部にはそれぞれ軸孔を設けることを特徴とする請求項６に記載の伝動及び燃焼を行うボイラーのチェーン構造。
【請求項９】
前記枢着部の軸孔と枢着突出部の軸孔は軸を用いて枢着することを特徴とする請求項８に記載の伝動及び燃焼を行うボイラーのチェーン構造。
【考案の詳細な説明】
【技術分野】
【０００１】
本考案は、積載及び燃焼を行うローラーチェーンに関し、伝動及び燃焼を行うボイラーのチェーン構造に係る。
【背景技術】
【０００２】
図６及び図７に示すとおり、公知の積載及び燃焼を行うボイラーのチェーン構造は、複数のローラーチェーン７１、複数の搬送平板７２、複数の伝動歯車７３により構成される。ローラーチェーン７１は、複数のチェーン部分７１１によって相互に枢設されて環状形に構成され、チェーン部分７１１の一方側端には二つの枢着部７１２を形成し、二つの枢着部７１２の中間には枢着するための凹溝７１３を形成し、他の一方側には枢着突出部７１４を形成する。複数の搬送平板７２上部には複数の凹部７２１を設け、凹部７２１内にはスリット７２２を貫通させ、搬送平板７２の下部には枢着用の枢着部７２３を設ける。搬送平板７２をローラーチェーン７１間に枢設し、複数の軸７２４でチェーン部分７１１の枢着部７１２と搬送平板７２の枢着部７２３を枢設して相互連結させ、さらに、モーターによって伝動歯車７３は駆動され、チェーン部分７１１によって形成されたローラーチェーン７１を連動する。これにより、チェーン構造全体は伝動歯車７３の駆動を受けて循環回転が行われる。また、ボイラーの燃料を積載したチェーン構造の上方一端には燃料フィーダを連結し、チェーン構造の上方の他の一端には蒸気ボイラを設置する。
【考案の概要】
【考案が解決しようとする課題】
【０００３】
本考案者は次の点に着目した。蒸気ボイラーの積載及び燃焼を行うチェーン構造は一般に、省エネ及び地球環境問題の要求に応えて蒸気ボイラーの蒸気を得るために、多くは、木屑、紙屑、或いは一般の可燃性廃棄物等を燃料としており、燃料は、燃料フィーダを経由してローラーチェーン及び搬送平板上に形成されたチェーン構造上に供給され、伝動歯車によってローラーチェーンは動かされ、搬送平板上の燃料をボイラ燃焼室に搬送して燃焼させ、ボイラ内に生じた蒸気が後続する工程に運用される。ただし各所から収集されて燃料となる可燃性廃棄物は、その内容物に、例えば破砕したプラスチックの一部、極小さな金属の欠片、ガラスの欠片等の各種様々な廃棄物が混合されているため、廃棄物を高温燃焼する過程において燃焼をしても、搬送平板の上部がフラット面であり、しかも凹部内には燃焼用スリットが形成されているため、炎はスリットから出て燃料を燃焼したり、燃焼された灰等が排出される。凹部と端面には傾斜度の高い燃焼補助空間を備え、燃焼過程において燃料と搬送平板端面に空気の供給を受けるが、傾斜度の高い燃焼補助空間は面積が小さく、燃焼時の炎は十分な空気の補給を得られず、全体として燃焼効率が限られてしまい、しかも、搬送平板による燃料の搬送時の摩擦設計がなされていないため、燃料搬送時に力の無駄があり、構造上の応力も明らかに不足する。また、燃料中の金属物は、高温燃焼の下で粘りのある高温金属液状に変化し易く、これがチェーン部分の凹溝と枢着突出部間の隙間Ａ内に進入し、チェーン構造が循環して燃焼室を離れた後に冷却すると、凝固し軸の隙間に付着してしまうこともある。搬送時にチェーン構造の噛合箇所の回転が鈍くなると、チェーン間に裂罅現象を生じさせることもあり、蒸気ボイラを停止させてメンテナンスが必要となり、作業に影響を及ぼす事態が引き起こされる。よって、公知技術の問題を解決する必要性に迫られている。
【課題を解決するための手段】
【０００４】
本考案者は、前述の問題点に鑑み、長期に渡り、チェーン構造の研究を含む総合的な着想に取り組み、伝動及び燃焼を行うボイラーのチェーン構造を生み出した。それは、複数のローラーチェーンと、複数の搬送平板と、複数の伝動歯車とを含む。
前記ローラーチェーンは、複数のチェーン部分を枢設して環状形に構成されたものである。
前記搬送平板は、複数の平板体によって構成される。平板体には積載面を設け、積載面上には間隔をあけて配列する複数の凹部を設け、凹部内には複数のスリットを設け、積載面の上部には複数の凸部を形成し、搬送平板は、その外側にローラーチェーンを枢設するため、ローラーチェーンと同時に作動し回転する。
前記伝動歯車はローラーチェーン内に嵌入され、伝動歯車がローラーチェーンを連動し、それを循環回転させる。
【考案の効果】
【０００５】
以上の説明に基づき本考案と公知技術を比較すると、本考案には明確に以下の効果が達成されることが考えられる。
(1)燃焼効率の向上：平板体の積載面上の凸部と凹部間に形成された高さのある隙間が燃焼ガスの補給を助け、これにより、燃焼過程における燃焼効果を高め、燃焼にムラができる心配がない。
(2)摩擦力の増強：平板体の積載面上の凸部によって、燃料を積載する摩擦力が強化されるため、搬送平板はさらに安定した状態で燃料を搬送する効果を備える。
(3)構造上の強度の向上：搬送平板の積載面上の凸部によって、搬送平板全体の強度を高める応力を備える。
(4)燃焼屑や金属溶液の流入を阻止：チェーン部分の遮蔽部は、燃料を積載するとともに、チェーン部分間の枢設位置を封鎖することで、スムースなローラーチェーン運転を確保し、裂罅現象発生の心配をなくす。
(5)屑排出効果：チェーン部分の遮蔽部は連結した枢設位置を封鎖し、しかも枢着部の上部縁の円弧形首部は傾斜エッジ面を備えているため、進入した燃焼屑や金属溶液をスムーズに導き出すことができる。燃料のローラーチェーン内への進入を避けるため、ローラーチェーンと伝動歯車の噛合箇所の回転が鈍る状況が発生しない。
【図面の簡単な説明】
【０００６】
【図１】本考案伝動及び燃焼を行うボイラーのチェーン構造の概略図である。
【図２】本考案伝動及び燃焼を行うボイラーのチェーン構造の一部組立図である。
【図３】本考案伝動及び燃焼を行うボイラーのチェーン構造の一部組立図である。
【図４】本考案伝動及び燃焼を行うボイラーのチェーン構造における搬送平板の組立図である。
【図５】本考案伝動及び燃焼を行うボイラーのチェーン構造における搬送平板枢設箇所の断面図である。
【図６】公知の積載及び燃焼を行うボイラーのチェーン構造の一部組立図である。
【図７】公知の積載及び燃焼を行うボイラーのチェーン構造における搬送平板の組立図である。
【考案を実施するための形態】
【実施例】
【０００７】
図１ないし図５に示すとおり、本考案の伝動及び燃焼を行うボイラーのチェーン構造は、複数のローラーチェーン１と、複数の搬送平板２と、複数の伝動歯車３を含む。
【０００８】
前記ローラーチェーン１は、複数のチェーン部分１１を枢設して環状形に構成されたもので、チェーン部分１１の一端には二つの枢着部１２を備え、二つの枢着部１２の中間には凹溝１２１を形成し、尚且つ上部縁の円弧形首部は、内側から外側方向に傾斜エッジ面１２２を設け、チェーン部分１１の別の一端にはT字形の枢着突出部１２３を形成する。枢着部１２と枢着突出部１２３には軸孔１３を設け、軸１４を用いて前後のチェーン部分１１を軸孔１３で枢着し、相互が繞設するようにする。その内、枢着突出部１２３の上部縁には遮蔽部１５を設け、遮蔽部１５はチェーン部分１１の相互に連結した枢設位置を封鎖するため、燃料５の燃焼屑や金属溶液の進入を防ぐことができ、尚且つ遮蔽部１５は積載した燃料５の搬送を行う。
【０００９】
前記搬送平板２は、複数の平板体２１によって構成される。平板体２１には積載面２２を設け、積載面２２上には間隔をあけて配列する複数の凹部２３を設ける。また、積載面２２には凹部２３とは異なる箇所の上部に複数の凸部２４を設け、凸部２４は棒状突出体或いは間隔をあけて配列した突出ブロック体としてもよく、それらによって積載した燃料５の搬送を行う。積載面２２の凹部２３内には複数のスリット２５を設ける。平板体２１の二端にはそれぞれ枢着部２６を設置し、枢着部２６には軸孔２７を備えさせ、平板体２１の軸孔２７には軸１４を枢設して環状構成する。搬送平板２は、その外側にローラーチェーン１を枢設することにより、ローラーチェーン１と同時に作動し回転する。
【００１０】
前記伝動歯車３はローラーチェーン１内に嵌入され、伝動歯車３はローラーチェーンを連動し、それを循環回転させる。
【００１１】
続いて、図１ないし図５に示すとおり、伝動及び燃焼を行うボイラーのチェーン構造を組み立てる場合、チェーン部分１１の枢着突出部１２３とチェーン部分１１の凹溝１２１は、軸孔１３に軸１４を貫設し、前後のチェーン部分１１を繞設するように相互を枢着してローラーチェーン１を形成する。チェーン部分１１の遮蔽部１５は凹溝１２１と枢着突出部１２３の枢設位置を封鎖し、尚且つローラーチェーン１内に嵌入された伝動歯車３はローラーチェーン１を連動し、それを循環回転させる。また、搬送平板２の積載面２２を配列し接合し、軸１４を搬送平板２の枢着部２６の軸孔２７とチェーン部分１１の枢着部１２の軸孔１３に貫設し、さらに、繞設状態で接合されるチェーン部分１１を相互に枢設したローラーチェーン１により、ローラーチェーン１のチェーン部分１１と搬送平板２の平板体２１は相互に枢設されて同時回転作動が生じ、これにより、積載した燃料５を搬送するチェーン構造が構成される。ボイラーのチェーン構造の上方一端には燃料フィーダ４が取り付けられ、燃料フィーダ４には燃料５を入れ、チェーン構造上方の他端には蒸気ボイラ６を設置する。
【００１２】
続いて、図１ないし図５に示した伝動及び燃焼を行うボイラーのチェーン構造を使用する場合、燃料５は燃料フィーダ４を経由して搬送平板２の積載面２２上方に供給され、伝動歯車３がローラーチェーン１を連動し、搬送平板２もまた同時に回転作動を起こす。これにより、燃料５は蒸気ボイラ６の下方の燃焼室に搬送されて燃焼するため、蒸気ボイラ６内で生じる蒸気は後続作業の動力に変換される。チェーン部分１１は何れも遮蔽部１５を備え、チェーン部分１１間の凹溝１２１と枢着突出部１２３の枢設位置を封鎖して、燃料５の燃焼屑や金属溶液の流入を防ぎ、尚且つチェーン部分１１の枢着部１２の上部縁の円孤形首部内側から外側方向に傾斜エッジ面１２２を設けてあるため、燃焼屑や金属溶液が進入した場合でも傾斜エッジ面１２２によりスムーズに排出され、ローラーチェーン１と伝動歯車３の噛合箇所の回転動作が鈍ることなく、チェーン部分１１間の裂罅を防ぐことができる。また、搬送平板２が積載した燃料５を搬送する時は、平板体２１の凸部２４と凹部２３間に形成された高さのある隙間が燃焼ガスの補給を助け、これにより、スリット２５を通過後の炎は、燃焼効果を増進させることができる。しかも、凸部２４によって、積載する燃料５の摩擦力と平板体２１全体の強度があるため、搬送平板２はさらに安定状態で燃料５を搬送し、ムラのない燃焼効果を備える。
【００１３】
上述したとおり、本考案の「伝動及び燃焼を行うボイラーのチェーン構造」は、チェーン部分１１の遮蔽部１５を用いてチェーン部分１１間の凹溝１２１と枢着突出部１２３の枢設位置を封鎖することにより、燃料５の燃焼屑や金属溶液の流入を阻止し、ローラーチェーン１と伝動歯車３の噛合箇所の回転動作を鈍らせることなく、チェーン部分１１間の裂罅を防ぐことができる。また、平板体２１の積載面２２の凸部２４と凹部２３間に形成した高さのある隙間が燃焼ガスの補給を助けるため、スリット２５通過後の炎の燃焼効果を増進できる。さらに、凸部２４によって、積載する燃料５の摩擦力と平板体２１全体の強度が高まるため、搬送平板２は安定状態で燃料５を搬送する効果を備える。本構造は、既刊行物には見られず一般公開されての使用もないため、実用新案の要件を満たすものとして出願を行う。貴庁の審査によって早期に実用新案の許可を戴けるよう、ここにお願い申し上げます。
【００１４】
上述したものは、本考案の具体的な実施によって即刻応用できる技術原理であり、本考案の構造に基づいて為された変化、それにより生じる効果及び作用が説明書及び図面に包含される意義を逸脱しない場合は、全て本考案の範囲内に含まれることを明記する。      
【符号の説明】
【００１５】
１  ローラーチェーン
１１  チェーン部分
１２  枢着部
１２１  凹溝
１２２  傾斜エッジ面
１２３  枢着突出部
１３  軸孔
１４  軸
１５  遮蔽部
２  搬送平板
２１  平板体
２２  積載面
２３  凹部
２４  凸部
２５  スリット
２６  枢着部
２７  軸孔
３  伝動歯車
４  燃料フィーダ
５  燃料
６  蒸気ボイラ
７１  ローラーチェーン
７１１  チェーン部分
７１２  枢着部
７１３  凹溝
７１４  枢着突出部
７２  搬送平板
７２１  凹部
７２２  スリット
７２３  枢着部
７２４  軸
７３  伝動歯車
Ａ  隙間
【図１】
0003176860.tif 000003
【図２】
0003176860.tif 000004
【図３】
0003176860.tif 000005
【図４】
0003176860.tif 000006
【図５】
0003176860.tif 000007
【図６】
0003176860.tif 000008
【図７】
0003176860.tif 000009